(57)【要約】  シンクサーバーを用いたメッセンジャー通知システム及び方法を提供する。本システムは、メッセンジャー使用者のインスタントメッセージ伝送を制御し、メッセンジャー使用者の状態変更情報をモニタリングして伝送するメッセンジャーシステムと、予め設定されたイベント発生可否をモニタリングし、イベント発生時に当該イベント発生を知らせる通知メッセージを生成する少なくとも一つの外部サービスシステムと、メッセンジャーシステムからメッセンジャー使用者の状態変更情報を受信し、受信された状態変更情報をオンライン使用者データベースに保存し、少なくとも一つの外部サービスシステムから通知メッセージを受信する場合に、通知メッセージの受信者がメッセンジャーにオンライン状態であるか否かを判断し、オンライン状態である場合に通知メッセージをメッセンジャーシステムに伝送し、該通知メッセージをオンライン状態の該当する使用者に伝送するシンクサーバーと、を含む。【選択図】図１
2009517768.tif 000002
【特許請求の範囲】
【請求項１】
ユーザから場面検索キーワードを含む検索語の入力を受けるステップと、
前記場面検索キーワードを識別し、前記検索語を動画場面を検索するためのものとして認識するステップと、
前記検索語を用いて生成された質疑語を用いて、場面動画の内容上の特徴を示すスクリプトが保存された場面検索データベースを検索するステップ（前記場面動画は、内容基盤単位で分割された全体動画の一部に該当する）と、
前記質疑語にマッチングするスクリプトに相応する場面動画に関する検索結果を提供するステップと、
を含むことを特徴とする動画場面検索方法。
【請求項２】
前記スクリプトは、１つの場面動画に対して２つ以上が割り当てられ、
前記検索結果を提供するステップは、前記検索結果として選択された場面動画に対する２つ以上のスクリプトのうち、前記検索語との類似度が最も高いスクリプトを前記場面動画の題目として設定することを特徴とする請求項１に記載の動画場面検索方法。
【請求項３】
前記１つの場面動画に対して行為の主体別に表現された２つ以上のスクリプトが割り当てられることを特徴とする請求項２に記載の動画場面検索方法。
【請求項４】
前記スクリプトは、前記場面動画で発生した状況を叙述する叙述式スクリプトを含むことを特徴とする請求項１に記載の動画場面検索方法。
【請求項５】
前記場面動画は、前記全体動画に対して設定された開始時間および終了時間に対応していることを特徴とする請求項１に記載の動画場面検索方法。
【請求項６】
前記場面動画は、前記全体動画の一部区間がコピーされて新たに生成された動画であることを特徴とする請求項１に記載の動画場面検索方法。
【請求項７】
前記スクリプトは、前記全体動画内の特定のコーナーのコーナー名を含むことを特徴とする請求項１に記載の動画場面検索方法。
【請求項８】
ユーザから検索語の入力を受けるステップと、
前記検索語を用いて生成された質疑語を用いて、場面動画の内容上の特徴を示す叙述式スクリプトが保存された場面検索データベースを検索するステップ（前記場面動画は、内容基盤単位で分割された全体動画の一部に該当する）と、
前記質疑語にマッチングする前記叙述式スクリプトに相応する場面動画に関する検索結果を提供するステップと、
を含むことを特徴とする動画場面検索方法。
【請求項９】
前記叙述式スクリプトは、１つの場面動画に対して２つ以上が割り当てられ、
前記検索結果を提供するステップは、前記検索結果として選択された場面動画に対する２つ以上の叙述式スクリプトのうち、前記検索語との類似度が最も高い叙述式スクリプトを前記場面動画の題目として設定することを特徴とする請求項８に記載の動画場面検索方法。
【請求項１０】
前記場面検索データベースを検索するステップは、前記質疑語を用いて前記全体動画に対するスクリプトが保存された動画検索データベースを検索することを含み、
前記検索結果を提供するステップは、前記検索結果に前記質疑語にマッチングする前記全体動画を含んで前記検索結果を提供することを特徴とする請求項１または８に記載の動画場面検索方法。
【請求項１１】
前記動画場面検索方法は、
前記検索結果に提供された場面動画の再生が終了した場合に、前記ユーザが前記再生された場面動画を含む全体動画の再生を所望するか否かを判断するステップ、
をさらに含むことを特徴とする請求項１または８に記載の動画場面検索方法。
【請求項１２】
前記動画場面検索方法は、
前記ユーザがログインする前まで再生することができる場面動画の数を制限することを特徴とする請求項１または８に記載の動画場面検索方法。
【請求項１３】
前記動画場面検索方法は、
前記ユーザがログインした場合に、所定の時間内に、前記全体動画の再生時間に比べて所定の割合内の前記場面動画の再生のみを許容することを特徴とする請求項１または８に記載の動画場面検索方法。
【請求項１４】
請求項１から８のうちのいずれか一項に記載の動画場面検索方法を実行させるためのプログラムを記録したコンピュータ読み取り可能な記録媒体。
【請求項１５】
ユーザから検索語の入力を受ける検索語入力部と、
前記検索語を用いて質疑語を生成する質疑語生成部と、
内容基盤単位で分割された全体動画の一部に該当する場面動画の内容上の特徴を示すスクリプトを保存する場面検索データベースと、
前記質疑語を用いて前記場面検索データベースを検索する場面動画検索部と、
前記質疑語にマッチングするスクリプトに相応する場面動画に関する検索結果を提供する検索結果提供部と、
を備えることを特徴とする動画場面検索システム。
【請求項１６】
前記スクリプトは、１つの場面動画に対して２つ以上が割り当てられ、
前記検索結果提供部は、前記検索結果として選択された場面動画に対する２つ以上のスクリプトのうち、前記検索語との類似度が最も高いスクリプトを前記場面動画の題目として設定することを特徴とする請求項１５に記載の動画場面検索システム。
【発明の詳細な説明】
【技術分野】
【０００１】
本発明は、動画検索方法および動画検索システムに関し、より詳細には、動画内の一部の場面を検索する動画場面検索方法および動画場面検索システムに関する。
【背景技術】
【０００２】
インターネットを介したダウンロード速度の高速化に伴い、ユーザはインターネットを介して大容量のデータを容易に送受信できるようになった。したがって、今までは想像もできなかった高画質の動画データをインターネットを介してダウンロードし、リアルタイムで再生することが通常となっている。
【０００３】
実際に、大部分のテレビ番組をインターネットを介して再視聴することができるし、インターネットを介してケーブル／衛星テレビ、映画、ミュージックビデオ、およびスポーツ中継などの多様な動画が提供されている。
【０００４】
インターネットを介して提供される動画は、一方的に編成された番組によって放送されるテレビなどとは異なり、ユーザが所望する時間に所望する内容の動画を再生できるという長所がある。例えば、９時のニュースを視聴したいユーザは、翌日の午前中でもインターネットを介して９時のニュースを検索して視聴することができる。
【０００５】
しかしながら、インターネットを介して動画を視聴しようとする場合に、ユーザは、インターネットを介して提供される多数の動画から所望する動画を検索しなければならない。すなわち、「想像プラス」というテレビ番組を視聴しようとするユーザは、「想像プラス」という番組の題目または「タク・ジェフン」という番組の進行者名を用いたキーワード検索などを行って、自分が所望する番組の動画を探さなければならない。
【０００６】
したがって、効果的にユーザが所望する動画を検索することができる動画検索サービスを提供するために、多様な試みがなされてきた。
【０００７】
また、ユーザは、特定の番組の一部の内容に対して関心がある場合が多い。すなわち、ユーザは、番組全体ではなく番組の一部分の内容に対して関心を有する場合が多い。
【０００８】
例えば、サッカー中継を視聴したいユーザは、サッカー中継の番組全体を視聴するよりは、特定の選手がゴールを入れた場面のみを視聴しようとする場合があると言える。また、娯楽番組の視聴者が「ペ・スルギがディスコダンスを踊る場面」を視聴しようとする場合があると言える。しかしながら、一般的な動画検索方法では、サッカー中継全体や娯楽番組全体をその検索の対象としているため、ユーザが所望する動画の一部の場面などを検索することができなかった。
【０００９】
従来に、動画の一部分に対する検索を可能にするために、動画に含まれた台詞情報（または字幕情報）を用いて動画検索をしようとする試みがあった。すなわち、特定の動画の台詞や字幕からユーザが入力した検索語と関連した台詞や字幕がある部分を検索することによって、ユーザが所望する動画の一部分を探せるようにしたのである。
【００１０】
しかしながら、台詞や字幕だけでは、動画の内容を適切に反映できない場合が多い。例えば、ドラマのキスシーンを探したい場合には、キスシーンには台詞がない場合が多いため、台詞や字幕だけでドラマの主人公がキスをしている場面を探すことは極めて難しい。さらに、台詞や字幕がない動画の場合には、このような方法を用いた動画検索が全く不可能である。
【００１１】
したがって、動画の内容を用いて適切に動画内の所望する場面を検索することができる動画場面検索方法および動画場面検索システムが切に求められている。
【発明の開示】
【発明が解決しようとする課題】
【００１２】
本発明は、前記のような問題点を解決するために案出されたものであって、ユーザが動画の内容に関するキーワードを用いて動画の全体（以下、全体動画とする）から所望する場面を効果的に検索できるようにすることを目的とする。
【００１３】
また、本発明は、全体動画を内容に応じた単位に分割し、分割された区間に対する内容上の特徴を示すスクリプト用いて検索することで、ユーザが動画内容に関する検索語を入力して該当の内容と関連した場面を検索できるようにすることを他の目的とする。
【００１４】
また、本発明は、場面検索キーワードを識別して動画場面の検索を実行しようとするユーザの意図を自動で認識することで、ユーザの意図に適合する検索結果を提供することを他の目的とする。
【００１５】
さらに、本発明は、１つの場面動画に対して２つ以上のスクリプトを割り当て、ユーザの検索語に類似したスクリプトを該当の場面動画の題目として用いることで、ユーザの検索満足度を向上させることをさらに他の目的とする。
【課題を解決するための手段】
【００１６】
前記の目的を達成し、従来技術の問題点を解決するために、本発明の一実施形態に係る動画場面検索方法は、ユーザから場面検索キーワードを含む検索語の入力を受けるステップと、前記場面検索キーワードを識別し、前記検索語を動画場面を検索するためのものとして認識するステップと、前記検索語を用いて生成された質疑語を用いて、場面動画の内容上の特徴を示すスクリプトが保存された場面検索データベースを検索するステップ（前記場面動画は、内容基盤単位（content-based units）で分割された全体動画の一部に該当する）と、前記質疑語にマッチング（適合）するスクリプトに相応する場面動画に関する検索結果を提供するステップとを含むことを特徴とする。
【００１７】
このとき、内容基盤単位とは、全体動画において該当部分の内容が意味のある単位を意味する。すなわち、ユーザがその部分のみを鑑賞しようとする程度に意味のある部分を含む単位が内容基盤単位となるのである。
【００１８】
また、本発明の他の実施形態に係る動画場面検索方法は、ユーザから検索語の入力を受けるステップと、前記検索語を用いて生成された質疑語を用いて、場面動画の内容上の特徴を示す叙述式スクリプトが保存された場面検索データベースを検索するステップ（前記場面動画は、内容基盤単位で分割された全体動画の一部に該当する）と、前記質疑語にマッチングする前記叙述式スクリプトに相応する場面動画に関する検索結果を提供するステップとを含むことを特徴とする。
【００１９】
このとき、前記スクリプト（または叙述式スクリプト）は、１つの場面動画に対して２つ以上が割り当てられ、前記検索結果を提供するステップは、前記検索結果として選択された場面動画に対する２つ以上のスクリプト（または叙述式スクリプト）のうちで前記検索語との類似度が最も高いスクリプト（または叙述式スクリプト）を前記場面動画の題目として設定することができる。例えば、１つの場面動画に対して割り当てられる２つ以上のスクリプト（または叙述式スクリプト）は、１つの場面動画に対して行為の主体を相違して表現されたものであると言える。
【００２０】
また、本発明のさらに他の実施形態に係る動画場面検索システムは、ユーザから検索語の入力を受ける検索語入力部と、前記検索語を用いて質疑語を生成する質疑語生成部と、内容基盤単位で分割された全体動画の一部に該当する場面動画の内容上の特徴を示すスクリプトを保存する場面検索データベースと、前記質疑語を用いて前記場面検索データベースを検索する場面動画検索部と、前記質疑語にマッチングするスクリプトに相応する場面動画に関する検索結果を提供する検索結果提供部とを備えることを特徴とする。
【００２１】
本発明において、動画とは、テレビ番組、映画、スポーツ中継などに関するビデオデータおよびビデオデータとオーディオデータが結合したマルチメディアデータなどを包括する概念である。
【発明の効果】
【００２２】
本発明の動画場面検索方法および動画場面検索システムは、ユーザが動画内容に関するキーワードを用いて全体動画から所望する場面を効果的に検索できるようにする。
【００２３】
また、本発明は、全体動画を内容に応じて分割し、分割された区間に対する内容上の特徴を示すスクリプト用いて検索することで、ユーザが動画内容に関する検索語を入力して該当内容と関連する場面を検索できるようにする。
【００２４】
また、本発明は、場面検索キーワードを識別して動画場面検索を実行しようとするユーザの意図を自動で認識することで、ユーザの意図に適合する検索結果を提供できるようにする。
【００２５】
さらに、本発明は、１つの場面動画に対して２つ以上のスクリプトを割り当て、ユーザの検索語と類似したスクリプトを該当の場面動画の題目として用いることで、ユーザの検索満足度を向上させることができる。
【発明を実施するための最良の形態】
【００２６】
以下、添付の図面を参照しながら、本発明に係る好ましい実施形態について詳細に説明する。
【００２７】
図１は、本発明の一実施形態に係る動画場面検索方法を示すフローチャートである。
【００２８】
図１を参照すると、本発明の一実施形態に係る動画場面検索方法は、ユーザから場面検索キーワードを含む検索語の入力を受ける（Ｓ１１０）。
【００２９】
場面検索キーワードは、ユーザが入力した検索語が動画場面検索であることを知らせるキーワードである。例えば、場面検索キーワードは、「場面」、「状況」、または「コーナー（segment）」などであると言える。
【００３０】
例えば、「実際状況土曜日」というテレビ番組で「ペ・スルギ」という出演者がディスコダンスを踊る場面を検索したいユーザは、「ペ・スルギがディスコダンスを踊る場面」を検索語として入力することができる。このとき、「場面」というキーワードは、場面検索キーワードであると言える。
【００３１】
次に、動画場面検索方法は、ユーザから入力された検索語に場面検索キーワードが含まれているか否かを判断する（Ｓ１２０）。
【００３２】
このとき、動画場面検索方法は、ユーザから入力された検索語に場面検索キーワードが含まれていれば、ユーザが動画場面検索のためにキーワードを入力したものと判断することができる。また、そうではない場合には、ユーザが統合検索などの一般的な検索のためにキーワードを入力したものと判断することができる。
【００３３】
このとき、動画場面検索方法は、「場面」や「状況」などの場面検索キーワードをデータベースに保存しておき、ユーザから検索語が入力されれば、入力された検索語がデータベースに保存されたキーワードのうちの１つ以上を含んでいるか否かを判断することができる。
【００３４】
例えば、ユーザが「ペ・スルギがディスコダンスを踊る場面」を検索語として入力した場合には、動画場面検索方法は、ユーザが入力した検索語に「場面」が含まれているため、ユーザが動画場面を検索するために検索語を入力したものと判断することができる。また、例えば、ユーザが「イム・ヨファンの小軍隊がホン・ジンホの本陣に乱入した状況」を検索語として入力すれば、動画場面検索方法は、ユーザが入力した検索語に場面検索キーワードの「状況」が含まれているため、ユーザが動画場面検索をするために検索語を入力したものと判断することができる。
【００３５】
ステップＳ１２０の判断結果、ユーザから入力された検索語に場面検索キーワードが含まれていないと判断される場合に、動画場面検索方法は、統合検索などの一般的なキーワード検索を実行する（Ｓ１３０）。
【００３６】
ステップＳ１２０の判断結果、ユーザから入力された検索語に場面検索キーワードが含まれていると判断される場合に、動画場面検索方法は、入力された検索語を用いて質疑語を生成する（Ｓ１４０）。
【００３７】
例えば、ユーザから入力された検索語が「ペ・スルギがディスコダンスを踊る場面」である場合に、入力された検索語がそのまま質疑語になることもあるし、検索語から場面検索キーワードのみを除いた「ペ・スルギがディスコダンスを踊る」が質疑語になることもあるし、「ペ・スルギ」および「ディスコダンス」のみを質疑語として抽出することもある。
【００３８】
質疑語が生成された後に、動画場面検索方法は、生成された質疑語を用いて、場面動画の内容上の特徴を示すスクリプトが保存された場面検索データベースを検索する（Ｓ１５０）。このとき、場面動画は、内容基盤単位で分割された動画の全体（以下、全体動画とする）の一部に該当する。
【００３９】
内容基盤単位は、該当部分の内容が全体動画において意味を持つ単位を意味する。すなわち、ユーザがその部分のみを鑑賞しようとする程度に意味のある部分を含む単位が内容基盤単位となるのである。
【００４０】
例えば、イム・ヨファンというゲーマー（a gamer）がバルチャーユニット（Vulture units）を操作して、相手のゲーマーの基地に侵攻し、相手側の作業員ユニットを全滅させる。この内容がユーザが動画全体からその部分のみを検索しようとする程度で意味を持つものであれば、イム・ヨファンがバルチャーユニットを用いて相手の基地に侵攻して敵を全滅させた部分は、１つの内容基盤単位となる。
【００４１】
図２および図３は、実施形態における全体動画と場面動画との関係を示す概念図である。
【００４２】
図２を参照すれば、６０分の全体動画２１０が７つの場面動画２２１、２２２、２２３、２２４、２２５、２２６、２２７を含んでいることが分る。このとき、それぞれの場面動画２２１〜２２７は、すべて所定の内容上の特徴に相応する。すなわち、それぞれの場面動画２２１〜２２７は、全体動画２１０から分割されるだけの内容上の特徴を有しているため、全体動画２１０から分割されて設定されたものである。
【００４３】
それぞれの場面動画２２１〜２２７は、すべて内容基盤単位で分割されたものであり、所定の内容上の特徴に相応するものであるため、それぞれの場面動画２２１〜２２７には内容上の特徴を示すスクリプトが割り当てられる。このとき、スクリプトは、それぞれの場面動画２２１〜２２７で発生した状況を叙述する叙述式スクリプトとしてもよい。
【００４４】
例えば、全体動画２１０がサッカー中継番組であるとする。このとき、７つの場面動画２２１〜２２７は、すべて該当サッカーゲームの主要場面（ハイライト）に相応するものであると言える。このとき、場面動画２２１〜２２７に割り当てられるスクリプトは、「パク・チソンがクロスバーに当てる場面」、「イ・ウンジェが失点する場面」、または「イ・チョンスがマルディーニを殴る場面」などであると言える。
【００４５】
例えば、全体動画２１０がドラマ番組であるとする。このとき、７つの場面動画２２１〜２２７は、ドラマの主要場面（ハイライト）に相応するものであると言える。このとき、場面動画２２１〜２２７に割り当てられるスクリプトは、「ダニエル・ハニーがリョウォンにキスする場面」、「ヒョンビンがダニエル・ハニーを殴る場面」、または「サムスンがお酒を飲んで踊る場面」などであると言える。
【００４６】
このように、全体動画から分割されるだけの内容上の特徴を有する主要部分を分割して場面動画として設定することで、本発明の一実施形態に係る動画場面検索方法は、ユーザが関心を持つに値する場面を、効果的に検索対象に設定することができ、不必要な場面動画の分割を減らすことができる。さらに、該当の場面動画に内容上の特徴を示すスクリプトを割り当てることで、台詞がない場合などにも、要求する動画の内容に関する検索語を介して所望の動画場面の検索が可能となる。
【００４７】
図３を参照すれば、６０分の全体動画３１０が６つの場面動画３２１、３２２、３２３、３２４、３２５、３２６に分割されることが分かる、図３のような場合は、それぞれのコーナー（individual segments）で分けられているテレビ番組であると言える。このように、それぞれのコーナーからなるテレビ番組は、各コーナーが１つの内容基盤単位となるため、場面動画３２１〜３２６をすべて合わせれば全体動画３１０となる。例えば、「ギャグコンサート」のような番組は、「桃学堂（a balsam school）」または「愛の家族」などのようなコーナーからなるため、全体動画３１０を場面動画３２１〜３２６で分ければ図３のようになる。
【００４８】
このとき、それぞれの場面動画３２１〜３２６は、すべて全体動画３１０内のコーナーの１つ１つに相応するものであるため、それぞれの場面動画３２１〜３２６には、コーナー名を示すスクリプトが割り当てられるようになる。
【００４９】
例えば、全体動画３１０が「ウッチァッサ」というテレビのお笑い番組である場合に、６つの場面動画３２１〜３２６は、すべてそのお笑い番組のコーナーに相応するものであり、それぞれの場面動画３２１〜３２６に割り当てられるスクリプトは、「ファサン高（HWASANGGO）」などの該当番組のコーナー名であると言える。
【００５０】
このように、コーナーからなる全体動画をコーナー別に分割して場面動画として設定することで、本発明の一実施形態に係る動画場面検索方法は、ユーザがある番組のコーナー単位で動画検索を行えるようにし、コーナー名を用いて所望するコーナーを容易に探すことができるようにする。
【００５１】
図２および図３において、それぞれの場面動画は、全体動画が分割された一部分を示すポインタに相応するものであっても良いし、全体動画が分割された一部を複製して新たに生成されたものであっても良い。
【００５２】
図２および図３に示すように、全体動画を内容的な特徴に基づいて場面動画に分割することで、全体動画の内容に関するキーワード検索の対象を効果的に設定することができるし、全体動画は有料で提供して場面動画は無料で提供するなど必要に応じて多様なサービス戦略を立てることができる。例えば、全体動画は有料であるが一部の場面動画は無料で提供することによって、場面動画を無料で視聴したユーザに全体動画に対する興味を持たせるようにし、全体動画を有料で視聴したいという欲求を感じさせるようにできる。
【００５３】
再び図１を参照すれば、本発明の一実施形態に係る動画場面検索方法は、ユーザが入力した検索語に相応する検索結果を提供する（Ｓ１６０）。
【００５４】
このとき、ステップＳ１６０は、動画場面検索を実行した場合に、質疑語にマッチング（適合）するスクリプトに相応する場面動画に対する検索結果を提供することができる。このとき、「マッチングする」と言うことは、質疑語と検索の対象となるスクリプトとの類似度が所定のレベル以上となることなどを意味する。
【００５５】
図４は、本発明の実施形態による場面検索データベースに保存されたデータの一例を示す図である。
【００５６】
図４を参照すれば、場面検索データベースには、所定の娯楽番組に該当する全体動画が分割されて生成された第１場面動画に相応するデータ４１０、および第２場面動画に相応するデータ４２０が保存されている。
【００５７】
このとき、第１場面動画および第２場面動画は、図２に示すように、全体動画から分割されるだけの内容上の特徴を有する主要場面であって、分割されて場面動画として設定されたものであると言える。
【００５８】
第１場面動画に相応するデータ４１０は、第１場面スクリプト４１１、第１場面開始／終了時間４１２、および第１場面スチールカット４１３を含む。
【００５９】
第１場面スクリプト４１１は、第１場面動画の状況を叙述式で示す叙述式スクリプトであって、「チャン・ウヒョクが水を飲んで突然立ち上がり踊り出す場面」として保存されていることが分かる。
【００６０】
第１場面開始／終了時間４１２は、全体動画内において第１場面動画に該当する再生時間に相応するものである。
【００６１】
第１場面スチールカット４１３は、第１場面動画の内容上の特徴を適切に表すことができるキャプチャ画面であると言える。すなわち、第１場面動画が「チャン・ウヒョクが水を飲んで突然立ち上がり踊り出す場面」であるため、第１場面スチールカット４１３は、チャン・ウヒョクが踊っている場面をキャプチャしたイメージファイル（１３＿１．ｊｐｇ）であると言える。
【００６２】
同様に、第２場面動画に相応するデータ４２０も、第２場面スクリプト４２１、第２場面開始／終了時間４２２、および第２場面スチールカット４２３を含む。
【００６３】
第２場面スクリプト４２１は、第２場面動画の状況を叙述式で示す叙述式スクリプトであって、「カン・ホドンがユ・ジェソクを殴る場面」として保存されている。
【００６４】
第２場面開始／終了時間４２２は、全体動画内において第２場面動画に該当する再生時間に相応するものである。
【００６５】
第２場面スチールカット４２３は、第２場面動画の内容上の特徴を適切に表すことができるキャプチャ画面であって、カン・ホドンがユ・ジェソクを殴っている画面をキャプチャしたイメージファイル（ｈｉｔ．ｊｐｇ）であると言える。
【００６６】
実施形態によって、第１および第２場面動画に相応するデータ４１０，４２０には、それぞれ該当の場面動画に相応する台詞情報、画質情報、容量情報、およびソース情報などが含まれることもできる。
【００６７】
図５は、図１に示す検索結果提供ステップＳ１６０の一例を示すフローチャートである。
【００６８】
図５を参照すれば、検索結果提供ステップは、検索された場面動画に相応する２つ以上のスクリプトのうちの１つを選択する（Ｓ５１０）。
【００６９】
すなわち、図１で説明したスクリプトは、１つの場面動画に対して２つ以上のスクリプトが割り当てられるようになる。
【００７０】
このとき、１つの場面動画に対して行為の主体別に表現された２つ以上のスクリプトが割り当てられるようになる。例えば、マンチェスター・ユナイテッドのサッカー競技においてパク・チソンのアシストを受けてルーニーが逆転ゴールを入れる場面に該当する場面動画には、「パク・チソンのシーズン第３号アシスト場面」および「ルーニーの逆転ゴール場面」が割り当てられるようになる。
【００７１】
ステップＳ５１０では、このように２つ以上が割り当てられているスクリプトのうちから、検索語との類似度がより高いスクリプトを選択する。このとき、類似度は、検索語とスクリプトに含まれた単語間の類似度だけではなく、語順まで考慮する概念であると言える。例えば、ユーザが「パク・チソンのアシスト場面」を検索語として動画場面の検索を実行した場合には、「ルーニーの逆転ゴール場面」ではなく「パク・チソンのシーズン第３号アシスト場面」が選択されるし、ユーザが「ルーニーのゴール場面」を検索語として動画検索を実行した場合には、「パク・チソンのシーズン第３号アシスト場面」ではなく「ルーニーの逆転ゴール場面」が選択される。
【００７２】
また、検索結果提供ステップは、選択されたスクリプトを該当の場面動画の題目として設定して検索結果を生成する（Ｓ５２０）。
【００７３】
すなわち、検索結果として選択された動画が同じであったとしても、ユーザがどのような検索語を入力したのかによって、「パク・チソンのシーズン第３号アシスト場面」または「ルーニーの逆転ゴール場面」が選択的に該当の場面動画の題目として設定されるのである。
【００７４】
したがって、ユーザは、自分が入力した検索語と類似した題目を有する検索結果を得ることができるため、ユーザの検索満足度を向上させることができる。すなわち、ユーザが「パク・チソンのアシスト場面」を用いて動画場面の検索を実行した場合には、同じ場面の動画が検索結果として提供されたとしても、「ルーニーの逆転ゴール場面」という題目の場面動画が提供されるよりは、「パク・チソンのシーズン第３号アシスト場面」という題目の場面動画が提供されることが、検索者の意図により適合するのである。
【００７５】
また、検索結果提供ステップは、生成された検索結果をユーザに提供する（Ｓ５３０）。
【００７６】
図６は、本発明の実施形態において、１つの場面動画に２つ以上のスクリプトが割り当てられる場合に、場面検索データベースに保存されたデータの一例を示す図である。
【００７７】
図６を参照すれば、場面検索データベースには、１つの場面動画に相応するデータとして３つの場面スクリプト６１０、場面開始／終了時間６２０、および場面スチールカット６３０が保存されている。
【００７８】
このとき、３つの場面スクリプト６１０は、それぞれ「ろくでなしの恋でピがキスする場面」、「ピがシン・ミンアにキスする場面」、および「シン・ミンアがピに突然キスされる場面」であり、このうちでユーザが入力した検索語と最も類似したスクリプトがこの場面動画の題目として用いられるようになる。
【００７９】
図７は、本発明の実施形態における、動画場面検索結果ページの一例を示す図である。
【００８０】
図７を参照すれば、動画場面検索結果ページには、場面動画を再生するための再生機フィールド７１０と、場面動画題目フィールド７２０と、場面動画台詞情報フィールド７３０と、付加情報フィールド７４０とがある。
【００８１】
再生機フィールド７１０には、検索結果として選択された場面動画を再生するための再生機が表示される。このとき、ユーザが再生機の再生ボタンをクリックすることで、場面動画が再生されるように設定することができる。
【００８２】
場面動画題目フィールド７２０には、検索結果として選択された場面動画の題目が表示される。ユーザが入力した検索語に応じて、図７に示す「ろくでなしの恋でピがキスする場面」、「ピがシン・ミンアにキスする場面」、および「シン・ミンアがピに突然キスされる場面」が場面動画上の題目となり得ることは、上述した通りである。
【００８３】
場面動画台詞情報フィールド７３０には、検索結果として選択された場面動画に台詞がある場合に台詞情報が表示される。このとき、表示される台詞情報は、２行程度で制限することができる。
【００８４】
付加情報フィールド７４０には、画質情報、ファイル種類情報、容量情報、再生時間情報、画面サイズ情報、および出処情報などが表示される。
【００８５】
実施形態によって、動画場面検索方法は、場面動画の検索結果として選択された場面動画だけではなく、検索結果提供時にユーザが入力した質疑語を用いて全体動画に対するスクリプトが保存された動画検索データベースを検索した結果、質疑語にマッチングするものとして選択された全体動画を含む検索結果をユーザに提供することもできる。このとき、全体動画に対するスクリプトには、題目、エピソード、ソース、ファイルＵＲＬ、解像度、画面サイズ、人物、カテゴリ、およびスチールカットなどが含まれるようになる。
【００８６】
すなわち、動画場面検索方法は、ユーザが入力した検索語に相応する全体動画についての検索結果および場面動画検索結果を共に表示することもできる。このとき、動画場面検索方法は、ユーザが入力した検索語に場面検索キーワードが含まれているか否かを判断しない場合もある。
【００８７】
例えば、ユーザが「ろくでなしの恋でピがキスする場面」を検索語として検索した場合に、動画場面検索方法は、入力された検索語を用いて生成された質疑語を使用して、全体動画に対するスクリプトが保存された動画検索データベースを検索することにより得られた全体動画検索結果、および場面検索データベースを検索することにより得られた場面動画検索結果を共に提供することができる。
【００８８】
このとき、本発明の動画場面検索方法は、所定の場面動画がユーザに検索結果として提供されて該当の場面動画の再生が終了した場合に、ユーザが再生された場面動画を含む全体動画の再生を所望するか否かを判断するステップをさらに含むことができる。
【００８９】
図８は、場面動画の再生が終了した後に、再生された場面動画を含む全体動画を再生するか否かを確認する画面を示す図である。
【００９０】
図８を参照すれば、場面動画の再生が終了したりユーザが場面動画の再生を中止したりする場合に、動画場面検索方法は、該当の場面動画を含む全体動画を再生するか否かをユーザに問う画面を表示する。
【００９１】
これに対し、ユーザが該当の場面動画を含む全体動画を再生する場合には「確認」ボタンをクリックし、全体動画を再生しない場合には「取消」ボタンをクリックすることができる。
【００９２】
このように、場面動画検索結果と全体動画検索結果を連係してユーザに提供することで、全体動画に対するユーザの関心度を増加させることができる。特に、全体動画が有料で提供される場合に全体動画に含まれる場面動画を無料で提供すれば、無料で場面動画を視聴したユーザが該当の場面動画を含む全体動画を視聴する可能性が高いため、場面動画の再生後に該当の場面動画を含む全体動画を鑑賞するか否かを問う画面を表示することで、全体動画に対するユーザの選択率を高めることができる。
【００９３】
実施形態によって、動画場面検索方法は、ユーザがログインする前まで再生することができる場面動画の数を制限することができる。これは、ユーザが無制限に場面動画を再生することができれば、結果的に全体動画を視聴する必要がなくなるためである。特に、全体動画が有料で提供されて場面動画が無料で提供される場合には、全体動画に対する場面動画の再生回数を適切に制限することが極めて重要となる。このとき、ログインしていないユーザの場面動画の再生回数の制限は、ＩＰ（Internet Protocol）およびクッキー（cookie）などを用いて実行することができる。
【００９４】
また、場面動画検索方法は、ユーザがログインした場合に、所定の時間内に全体動画の再生時間と比べて所定の割合内の場面動画再生のみを許容することができる。例えば、場面動画検索方法は、ログインしたユーザが毎月特定の動画の再生時間に比べて１０％以上の場面動画を再生できないようにすることができる。
【００９５】
図９は、動画場面検索制限に関する案内画面を示す図である。
【００９６】
図９を参照すれば、ログインしていないユーザが所定の回数以上の場面動画を再生したり、ログインしたユーザが所定の時間内に全体動画の再生時間と比べて所定の割合以上の場面動画を再生しようとする場合には、場面動画の検索制限に関するメッセージを表示することが分かる。
【００９７】
このように、場面検索結果を適切に制限することで、場面検索が無制限に用いられて動画コンテンツの有料販売を阻害したり、コンテンツ提供者の著作権を侵害したりすることを防ぐことができる。
【００９８】
なお、本発明に係る動画場面検索方法は、コンピュータにより実現される多様な動作を実行するためのプログラム命令を含むコンピュータ読取可能な記録媒体に記録することもできる。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー（登録商標）ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを指示する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェアデバイスは、本発明の動作を実行するために一以上のソフトウェアモジュールとして作動するように構成することができ、その逆もできる。
【００９９】
図１０は、本発明の一実施形態に係る動画場面検索システムを示すブロック図である。
【０１００】
図１０を参照すれば、本発明の一実施形態に係る場面検索システムは、検索語入力部１０１０と、質疑語生成部１０２０と、場面検索データベース１０３０と、場面動画検索部１０４０と、検索結果提供部１０５０とを備える。
【０１０１】
検索語入力部１０１０は、ユーザから検索語の入力を受ける。このとき、検索語入力部１０１０は、ユーザから場面検索キーワードを含む検索語の入力を受けることもできる。このとき、図１０には示していないが、場面検索システムは、場面検索判断部をさらに備え、ユーザから入力された検索語に含まれた場面検索キーワードを識別し、ユーザが場面検索を実行するか否かを判断することもできる。
【０１０２】
質疑語生成部１０２０は、検索語を用いて質疑語を生成する。このとき、検索語がそのまま質疑語となることもあるし、検索語に含まれた意味のない部分が削除されて残った部分のみが質疑語となることもある。
【０１０３】
場面検索データベース１０３０は、内容基盤単位で分割された全体動画の一部に該当する場面動画の内容上の特徴を示すスクリプトを保存する。
【０１０４】
このとき、内容基盤単位は、該当部分の内容が全体動画において意味を持つ単位を意味する。すなわち、ユーザがその部分のみを鑑賞しようとする程度に意味を有する部分を含む単位が内容基盤単位となるのである。
【０１０５】
このとき、スクリプトは、１つの場面動画に対して２つ以上が割り当てられ、検索結果として選択された場面動画に対する２つ以上のスクリプトのうち、検索語との類似度が最も高いスクリプトを場面動画の題目として設定することができる。このとき、１つの場面動画に対して行為の主体別に相違して表現された２つ以上のスクリプトが割り当てられるようになる。
【０１０６】
このとき、スクリプトは、場面動画で発生した状況を叙述する叙述式スクリプトを含むことができる。
【０１０７】
場面動画検索部１０４０は、質疑語生成部１０２０で生成された質疑語を用いて場面検索データベース１０３０を検索する。
【０１０８】
検索結果提供部１０５０は、質疑語にマッチングするスクリプトに相応する場面動画に対する検索結果を提供する。
【０１０９】
図１０を参照しながら説明したシステムと関連して説明されていない内容は、上述した動画場面検索方法に関する実施形態においてそのまま適用可能であるため、以下省略する。
【０１１０】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【図面の簡単な説明】
【０１１１】
【図１】本発明の一実施形態に係る動画場面検索方法を示すフローチャートである。
【図２】全体動画と場面動画との関係を示す概念図である。
【図３】全体動画と場面動画との関係を示す概念図である。
【図４】本発明の場面検索データベースに保存されたデータの一例を示す図である。
【図５】図１に示す検索結果提供ステップの一例を示すフローチャートである。
【図６】１つの場面動画に２つ以上のスクリプトが割り当てられる場合に、場面検索データベースに保存されたデータの一例を示した図である。
【図７】動画場面検索結果ページの一例を示す図である。
【図８】場面動画の再生が終了した後に、再生された場面動画を含む全体動画を再生するか否かを確認する画面を示す図である。
【図９】動画場面検索の制限に関する案内画面を示す図である。
【図１０】本発明の一実施形態に係る動画場面検索システムを示すブロック図である。
【図６】
2009517768.tif 000003
【図７】
2009517768.tif 000004
【図１】
2009517768.tif 000005
【図２】
2009517768.tif 000006
【図３】
2009517768.tif 000007
【図４】
2009517768.tif 000008
【図５】
2009517768.tif 000009
【図８】
2009517768.tif 000010
【図９】
2009517768.tif 000011
【図１０】
2009517768.tif 000012
【国際調査報告】
2009517768.tif 000013
2009517768.tif 000014